(57)【要約】【課題】、極めて容易な方法で、正確な変則チューニングを行うことができる弦楽器用ブリッジを提供すること。【解決手段】ファインチューニング装置４１を備えた電気ギターのトレモロ装置において、レバーアーム３７との当接部５１ｆを有した筒状のチューナーノブ５１と、ここに挿入され上部に係止突起５２ｃと下部に螺合部５２ｂを有したベースネジ５２と、ここに螺入される頭部を有する調節ネジ５３とを備え、図に示す高張力状態では、係止突起５２ｃが係止凹部５１ｄに係合して当接部５１ｆによりレバーアーム３７が低位置に保持されるが、チューナーノブ５１を回転するとチューナーノブ５１の段差部５１ｃと調節ネジの当接段部５３ｄとが当接する低張力状態となり、レバーアーム３７が高位置に保持される。【選択図】      図７
2005208419.tif 000002
【特許請求の範囲】
【請求項１】
弦楽器のボディ上面に設けられたレバーアーム保持部材と、
該レバーアーム保持部材に、弦の張設方向と直交する方向に設けられた軸に前端部が連結されて、上下方向に回動可能に設けられたレバーアームと、
該レバーアームにおいて前記弦の端部を保持する弦保持手段と、
前記レバーアームの回動によっても弦の張設方向における位置を実質的に変更することなく前記弦を支持する臨界接触点と、
前記レバーアーム保持部材若しくはレバーアーム保持部材に対して固定された部分に螺入される螺合部と、前記レバーアームに対して弦の張力による付勢方向側に当接させる当接部とが設けられ、前記螺合部の螺合量を変更することで前記当接部を上下方向に変位させて前記レバーアームの回動位置を微調節する操作ネジと
を有するファインチューニング手段を備えた弦楽器用ブリッジであって、
前記操作ネジにおいて、前記当接部を上下方向に移動させて、所定の弦を所定の高張力とする高張力状態と所定の低張力とする低張力状態とに張力を切り替え可能な変調手段を有したこと
を特徴とする弦楽器用ブリッジ。
【請求項２】
前記変調手段を有した操作ネジにおいて、
高張力状態における微調節を行う高張力状態微調節手段と、
当該高張力状態の張力を変更せずに低張力状態における微調節を行う低張力状態微調節手段と
をそれぞれ備えたことを特徴とする請求項１に記載の弦楽器用ブリッジ。
【請求項３】
前記弦楽器用ブリッジにおいて、前記操作ネジは、前記レバーアームに設けられたスリットに上方から挿入されるとともに、前記レバーアーム保持部材若しくはレバーアーム保持部材に対して固定された部分に先端部が螺合され、
前記当接部は、前記レバーアームのスリット周縁近傍に当接されること
を特徴とする請求項１又は請求項２に記載の弦楽器用ブリッジ。
【請求項４】
前記レバーアームとの当接部を有した筒状のチューナーノブと、
当該チューナーノブに挿入され、下部に前記螺合部が設けられたベースネジと、
前記ベースネジに螺入される螺入部と、当該螺入部より大径に形成された頭部とを有した調節ネジとを備え、
前記チューナーノブには、その上部の内径より小さい内径に形成された段差部が形成され、当該段差部の上端面の一部に設けられた係合部と、該係合部とは段差部の異なる位置に形成された空間である非係合部とが設けられ、
前記ベースネジの上端には、前記係合部と係合可能で、かつ前記非係合部とは係合しない係止突起が設けられ、
前記調節ネジには、頭部に前記チューナーノブの段差部と当接可能な当接段部が設けられ、
前記高張力状態では、前記ベースネジの係止突起が前記チューナーノブの係止凹部に係合することで、チューナーノブの前記レバーアームとの当接部が低位置に保持され、
前記低張力状態では、前記ベースネジの係止突起が前記チューナーノブの非係合部に位置することで係合が解かれ、かつ前記チューナーノブの段差部と前記調節ネジの当接段部とが当接することで、チューナーノブの前記レバーアームとの当接部が高位置に保持されること
を特徴とする請求項３に記載の弦楽器用ブリッジ。
【請求項５】
請求項１乃至請求項４のいずれかに記載の弦楽器用ブリッジにおいて、
トレモロ装置を備えたことを特徴とする弦楽器用ブリッジ。
【請求項６】
前記トレモロ装置において、弦の張力に対抗する付勢力を与えて当該弦の張力を維持する張力付与機構を備え、前記高張力状態若しくは低張力状態における弦の張力に応じて当該張力付与機構の付勢力を調整する付勢力調整手段を備えたこと
を特徴とする請求項５に記載の弦楽器用ブリッジ。
【請求項７】
前記トレモロ装置において、弦の張力に対抗する付勢力を与えて当該弦の張力を維持する張力付与機構を備え、
前記高張力状態若しくは低張力状態における特定の弦の張力が変化しても、当該張力を変更した弦以外の張力を変更させないように維持するために当該張力付与機構の付勢力を維持する付勢力維持手段を備えたこと
を特徴とする請求項５又は請求項６に記載の弦楽器用ブリッジ。
【請求項８】
前記付勢力維持手段は、
前記レバーアーム保持部材を保持しつつボディに対して揺動可能に支持されたベースプレートと、
当該ベースプレートの下側面に突設され、前記ボディ内部を前後に揺動可能に設けられたトレモロブロックと、
当該トレモロブロックの下端部近傍の後面に形成された引掛部と、
前記ボディの内部に設けられた裏機構ベースと、
前記裏機構ベースの後部の左右両側に形成され、後方への開放部を有する係合部と、
前記裏機構ベースの前部に前後位置調節自在に配設された調節部材と、
前記調節部材に前端が固定され後端が前記トレモロブロック先端に固定され該トレモロブロックを常時前方に付勢する第一スプリングと、
前記裏機構ベースに前端が固定された第二スプリングと、
前記トレモロブロックの後方に配置され、前記第二スプリングの後端が固定されて常時前方に付勢され、該トレモロブロックの非揺動時及び前方への揺動時には前記係合部に係着されているとともに、前記トレモロブロックの後方への揺動時には該トレモロブロックの引掛部と当接して前記係合部の係止位置より離脱して後方へ移動される棒状部材と
を含むことを特徴とする請求項７に記載の弦楽器用ブリッジ。
【請求項９】
請求項１乃至請求項８のいずれか１項に記載の弦楽器用ブリッジを備えたことを特徴とする電気ギター。
【発明の詳細な説明】
【技術分野】
【０００１】
本発明は、弦楽器用ブリッジ及び弦楽器用ブリッジを備えた電気ギターに係り、詳しくはワンタッチで変則チューニングが可能な弦楽器用ブリッジ及び弦楽器用ブリッジを備えた弦楽器に関する。
【背景技術】
【０００２】
従来より、弦楽器、例えばギターなどにおいて、標準的なチューニングに対して、特定の弦の張力を変える変則チューニングを行うことがある。例えば、ギターの第６弦は通常Ｅの音程に調整されるが、これを全音落としたＤの音程にする、いわゆるＤチューンと呼ばれるような変則チューニングがある。この場合、糸巻きを回転操作することで弦の張力をゆるめて高張力の高い音から低張力の低い音へ変更することができるが、演奏中に長時間掛けてチューニングを行うのは極めて煩雑である。一方、そのためにチューニングの異なった複数のギターを揃えておくのも煩雑である。
【０００３】
これがトレモロ装置を備えたギターの場合は、さらに煩雑である。仮に、糸巻きで第６弦のみを正確に全音落としたとしても、６本の弦全体の合計の張力が変化するため、これに対抗してトレモロブロックに張力を付与している張力付与機構による張力と、弦の張力とのバランスが崩れ、他の５本の弦は逆に張力が増してしまう。そのため、糸巻きで他の５弦のそれぞれの張力を調節して全体の調整をとらなければならないという問題があった。
【０００４】
そこで、特許文献１に示すようなトレモロ装置を備えた弦楽器のための張力変更装置が提案された。ここでの説明においては、図において上方向を上部、ヘッド側を前部として説明する。この装置はトレモロ装置を備えたギターにより説明されており、図１２に示すように、ベースプレート１２３を備える。ベースプレート１２３の後部は、斜め上方に屈曲されてフランジプレート１２３ａが形成され、後端部は水平な平面部が形成されている。この後端部には、ファインチューニング調整ネジ１４２が上方から下方に向けて貫通するように螺入されている。
【０００５】
ベースプレート１２３に固定された前部１３５には、後部１３７がピン１３８により回動可能に軸支されている。弦１１５は、その端部がクランプブロック１３９により後部１３７に保持される。弦１１５は、ピン１３８に軸支された円筒形に形成された後部１３７の部分の臨界接触点Ｚまで、後部１３７で支持される。このため、後部１３７は、ベースプレート１２３とともに、弦１１５の張力により前方（ヘッド側）に付勢されている。
【０００６】
このベースプレート１２３は、前端部に設けられたナイフエッジ１２９においてボディに固定されたスタッドボルト１３１に揺動可能に支持される。
ベースプレート１２３の図面下方にはトレモロブロック１４５が、ギターのボディ内に向けて設けられている（一部図示を省略）。このトレモロブロック１４５の先端には、引張りコイルスプリング（図示を省略）の一端が連結される。このスプリングの他の一端は、前方（ヘッド側）のボディ内部に固定され、張力付与機構としてトレモロブロック１４５の先端側が前方に付勢される。
【０００７】
このため、ベースプレート１２３は、弦１１５の張力と張力付与機構の付勢力とのバランスにより、トレモロアーム１３０により揺動可能に構成される。
前部１３５に軸支された後部１３７には、軸部１９０が後方に向けて延設される。軸部１９０は、前述のフランジプレート１２３ａに設けられた孔を貫通して延設され、シフト部材１９１に連結される。シフト部材１９１は、軸部１９０を内部に遊嵌する状態で、軸部に対して前後方向にシフト可能に連結されている。後部１３７及びここに固定された軸部１９０は、弦１１５の張力により前方に付勢されているため、シフト部材１９１も、ピン１３８を軸に図において反時計回りの方向に回転するように付勢されている。そのため、図１２の状態ではシフト部材１９１の上端面である上部平面１９１ａは、上方に配置されたファインチューニング調整ネジ１４２の下端に付勢されて当接する。
【０００８】
なお、シフト部材１９１の下方からは、ベースプレート１２３に前部が固定されたリーフスプリング１９２が、上方に向けて付勢されてシフト部材１９１に下端面に当接している。この状態で、例えば、第６弦が糸巻きによりＥの音にチューニングされる。また、必要に応じて、ファインチューニング調整ネジ１４２により精密にチューニングされる。
【０００９】
次に、図１２に示す状態から、第６弦を全音落としたＤにチューニングする状態を図１３で説明する。シフト部材１９１を手でつまみ後方へ引き出す。そうするとシフト部材１９１は後方へシフトする。シフト部材１９１が後方にシフトすると、シフト部材１９１の下部前端部に設けられた掛止凹部１９１ｂの凹部に上方に付勢されているリーフスプリング１９２の先端が嵌り込み、シフト部材１９１の位置が固定される。このとき、後部１３７、軸部１９０、シフト部材１９１はピン１３８を中心に弦１１５の張力により図において反時計回りに付勢されているため、上部平面１９１ａは、ファインチューニング調整ネジ１４２の下端から外れると、軸部１９０に当接する。そうすると、シフト部材１９１の所定の厚み分だけ、後部１３７，軸部１９０、シフト部材１９１がピン１３８を中心に図において反時計回りに回転する。そのため、弦１１５の張力は低減し、第６弦はＥの音からＤの音に変化する。従って、特許文献１に示す発明によれば、トレモロ装置を備えない弦楽器用のブリッジであれば、シフト部材１９１をシフトするだけで変則チューニングが可能になるといえる。また、ファインチューニング調整ネジ１４２により、Ｅにチューニングした場合に正確な調整が可能である。
【００１０】
なお、トレモロ装置を備えた弦楽器用ブリッジでは、やはり上記発明によっても張力が低減した第６弦の影響で、６本の弦全体の付勢力が弱まり、図示を省略した張力付与機構との付勢力のバランスが崩れ、第１弦から第５弦までの張力が高まることに関しては同様の問題があった。そのため、特許文献１に示す発明では、シフト部材１９１による変則チューニングをした後、張力付与機構のバネの張力を手動で調整し、トレモロ装置全体のバランスを調整して、チューニングしなおすことで解決するようにしていた。
【特許文献１】米国特許第５３５９１４４号明細書
【発明の開示】
【発明が解決しようとする課題】
【００１１】
しかしながら、これをシフト部材１９１をシフトしてＤにチューニングした場合では、いくらシフト部材１９１の精度を高めたとしても弦自体の特性や、全体の張力の状態などにより必ずしも正確にＤの音にチューニングできる保証がない。その場合は、概ねＤの音にチューニングできても、結局演奏するためには、ファインチューニング調整ネジ１４２により演奏前に正確にチューニングし直さなければならないという煩雑な作業が残ることになる。さらに、Ｄの音で正確にチューニングした場合は、シフト部材１９１を押し戻し元のＥの音にしたときには、必ずチューニングが狂っていることになる。この問題は、トレモロ装置を備えていないブリッジにおいても生じる。
【００１２】
加えて、トレモロ装置を備えたブリッジでは、第６弦だけ正確に調整したとしても、全体のバランスが崩れるという問題があり、上述の発明では張力付与機構において一括で調整できるとしても、手作業でその都度調整し直すしかなく調整が煩雑であるという問題もあった。
【００１３】
また、上述の発明では、シフト部材１９１が後方に飛び出しており、トレモロアーム１３０を上方に引き上げたとき、シフト部材１９１がボディと干渉しないような逃げの空間がボディに必要となる。特に、図１３に示すようなＤにチューニングした場合は、さらにシフト部材１９１が大きく飛び出すため、ボディにさらに大きな空間が必要となる。そのため、このようなトレモロ装置では、専用のボディが必要となり、従来のトレモロ装置と交換して使用できるような汎用性に乏しいという問題があった。
【００１４】
本発明は、上記問題を解決するため、極めて容易な方法で、正確な変則チューニングを行うことができる弦楽器用ブリッジを提供することにある。
【課題を解決するための手段】
【００１５】
上記課題を解決するため、請求項１に係る弦楽器用ブリッジでは、弦楽器のボディ上面に設けられたレバーアーム保持部材と、該レバーアーム保持部材に、弦の張設方向と直交する方向に設けられた軸に前端部が連結されて、上下方向に回動可能に設けられたレバーアームと、該レバーアームにおいて前記弦の端部を保持する弦保持手段と、前記レバーアームの回動によっても弦の張設方向における位置を実質的に変更することなく前記弦を支持する臨界接触点と、前記レバーアーム保持部材若しくはレバーアーム保持部材に対して固定された部分に螺入される螺合部と、前記レバーアームに対して弦の張力による付勢方向側に当接させる当接部とが設けられ、前記螺合部の螺合量を変更することで前記当接部を上下方向に変位させて前記レバーアームの回動位置を微調節する操作ネジとを有するファインチューニング手段を備えた弦楽器用ブリッジであって、前記操作ネジにおいて、前記当接部を上下方向に移動させて、所定の弦を所定の高張力とする高張力状態と所定の低張力とする低張力状態とに張力を切り替え可能な変調手段を有したことを要旨とする。
【００１６】
請求項２に係る弦楽器用ブリッジでは、請求項１に記載の弦楽器用ブリッジにおいて、前記変調手段を有した操作ネジが、高張力状態における微調節を行う高張力状態微調節手段と、当該高張力状態の張力を変更せずに低張力状態における微調節を行う低張力状態微調節手段とをそれぞれ備えたことを要旨とする。
【００１７】
請求項３に係る弦楽器用ブリッジでは、請求項１又は請求項２に記載の弦楽器用ブリッジにおいて、前記操作ネジは、前記レバーアームに設けられたスリットに上方から挿入されるとともに、前記レバーアーム保持部材若しくはレバーアーム保持部材に対して固定された部分に先端部が螺合され、前記当接部は、前記レバーアームのスリット周縁近傍に当接されることを要旨とする。
【００１８】
請求項４に係る弦楽器用ブリッジでは、請求項３に記載の弦楽器用ブリッジにおいて、前記レバーアームとの当接部を有した筒状のチューナーノブと、当該チューナーノブに挿入され、下部に前記螺合部が設けられたベースネジと、前記ベースネジに螺入される螺入部と、当該螺入部より大径に形成された頭部とを有した調節ネジとを備え、前記チューナーノブには、その上部の内径より小さい内径に形成された段差部が形成され、当該段差部の上端面の一部に設けられた係合部と、該係合部とは段差部の異なる位置に形成された空間である非係合部とが設けられ、前記ベースネジの上端には、前記第１の係合部と係合可能で、かつ前記非係合部とは係合しない係止突起が設けられ、前記調節ネジには、頭部に前記チューナーノブの段差部と当接可能な当接段部が設けられ、前記高張力状態では、前記ベースネジの係止突起が前記チューナーノブの係止凹部に係合することで、チューナーノブの前記レバーアームとの当接部が低位置に保持され、前記低張力状態では、前記ベースネジの係止突起が前記チューナーノブの非係合部に位置することで係合が解かれ、かつ前記チューナーノブの段差部と前記調節ネジの当接段部とが当接することで、チューナーノブの前記レバーアームとの当接部が高位置に保持されることを要旨とする。
【００１９】
請求項５に係る弦楽器用ブリッジでは、請求項１乃至請求項４のいずれかに記載の弦楽器用ブリッジにおいて、トレモロ装置を備えたことを要旨とする。
請求項６に係る弦楽器用ブリッジでは、請求項５に記載の弦楽器用ブリッジにおいて、前記トレモロ装置が、弦の張力に対抗する付勢力を与えて当該弦の張力を維持する張力付与機構を備え、前記高張力状態若しくは低張力状態における弦の張力に応じて当該張力付与機構の付勢力を調整する付勢力調整手段を備えたことを要旨とする。
【００２０】
請求項７に係る弦楽器用ブリッジでは、請求項５又は請求項６に記載の弦楽器用ブリッジにおいて、前記トレモロ装置が、弦の張力に対抗する付勢力を与えて当該弦の張力を維持する張力付与機構を備え、前記高張力状態若しくは低張力状態における特定の弦の張力が変化しても、当該張力を変更した弦以外の張力を変更させないように維持するために当該張力付与機構の付勢力を維持する付勢力維持手段を備えたことを要旨とする請求項５又は請求項６に記載の弦楽器用ブリッジ。
【００２１】
請求項８に係る弦楽器用ブリッジでは、請求項７に記載の弦楽器用ブリッジにおいて、前記付勢力維持手段が、前記レバーアーム保持部材を保持しつつボディに対して揺動可能に支持されたベースプレートと、当該ベースプレートの下側面に突設され、前記ボディ内部を前後に揺動可能に設けられたトレモロブロックと、当該トレモロブロックの下端部近傍の後面に形成された引掛部と、前記ボディの内部に設けられた裏機構ベースと、前記裏機構ベースの後部の左右両側に形成され、後方への開放部を有する係合部と、前記裏機構ベースの前部に前後位置調節自在に配設された調節部材と、前記調節部材に前端が固定され後端が前記トレモロブロック先端に固定され該トレモロブロックを常時前方に付勢する第一スプリングと、前記裏機構ベースに前端が固定された第二スプリングと、前記トレモロブロックの後方に配置され、前記第二スプリングの後端が固定されて常時前方に付勢され、該トレモロブロックの非揺動時及び前方への揺動時には前記係合部に係着されているとともに、前記トレモロブロックの後方への揺動時には該トレモロブロックの引掛部と当接して前記係合部の係止位置より離脱して後方へ移動される棒状部材とを含むことを要旨とする。
【００２２】
請求項９に係る電気ギターでは、請求項１乃至請求項８のいずれか１項に記載の弦楽器用ブリッジを備えたことを要旨とする。
【発明の効果】
【００２３】
本発明の弦楽器用ブリッジ及び電気ギターによれば、極めて容易な方法で、正確な変則チューニングを行うことができるという効果がある。
【発明を実施するための最良の形態】
【００２４】
（第１実施形態）以下、本発明を具体化した電気ギターのトレモロ装置を備えた電気ギターの一実施形態を図１〜図１０に従って説明する。
図１は、本実施形態の電気ギター１１全体を左後方側上面から見た斜視図である。なお、本発明の説明においては、図１における紙面上側（弦１５側）を電気ギター１１の上方、奥側（ヘッド１４側）を前方とする。
【００２５】
電気ギター１１は、ソリッドタイプのボディ１２と、ボディ１２から前方に延設されたネック１３を備える。ネック１３前端に続くヘッド部１４には、弦１５を巻き取る６本の弦柱１６が上方に回動可能に突設されている。それぞれの弦柱１６の背面には図示しないギヤ機構を有し、ギヤ機構からはヘッド部１４から突設された糸巻き１７が備えられ、糸巻き１７の回動に応じて弦柱１６が回動されようになっている。この弦柱１６、ギヤ機構、糸巻き１７によりそれぞれの弦１５のピッチ（張力）が調整されて張弦される。又、ネック１３の先端部に設けたナット１８には弦１５が後方側で振動可能に第１臨界接触されている。ナット１８に対し弦１５は上方から固定されている。なお、本実施形態では、弦１５を上方から、押さえ部材で押さえ、ボルトでナット１８に締め付けてピッチが変動しないようにしたロッキングナットの構成としている。通常のナットであっても、本発明は適用できるが、ロッキングナットの場合では、ロック後でもブリッジ側で調弦できるため、特に好適に適用できるものである。
【００２６】
ボディ１２には中央やや後方側に、本発明のブリッジであるトレモロ装置２１が配設されている。なお本発明の「ブリッジ」とは、広く弦を後方で支持する装置全般をいう。ナット１８で第１臨界接触している６本の弦１５は、トレモロ装置２１で第２臨界接触され、第１臨界接触点と第２臨界接触点の間で所定の張力で相互に略平行に張架される。この弦１５は、演奏により第１臨界接触点と第２臨界接触点の間で振動される。ボディ１２の弦１５の下方には弦の振動を検出し、電気信号に変換するピックアップ１９が配置されている。このピックアップ１９に生じた電気信号は、ケーブル（図示略）を介してアンプリファイアーで増幅されて音声に変換される。
【００２７】
次に、図２は、図１に示す電気ギター１１のトレモロ装置２１近傍の部分斜視図であり、図３は、図２のＡ−Ａ部分の矢視断面図である。以下トレモロ装置２１の概略構成を、図２、図３により説明する。
【００２８】
図２、図３に示すように、トレモロ装置２１は、ボディ１２に対しヒンジ機構２２により回動可能に装着されるベースプレート２３と、ベースプレート２３の上面に装着され、かつ各弦１５を支持するためのブリッジサドル２４とを備えている。ブリッジサドル２４には、本発明のファインチューニング手段であるファインチューニング装置４１及び本発明の変調手段であるＤチューナー装置５０が配設される。また、ベースプレート２３に設けられ、ベースプレート２３をヒンジ機構２２を中心に回動するトレモロ操作機構２６を備えている。また、図３に示すように、トレモロ装置２１はベースプレート２３を弦１５の張力と対抗して回動付勢するための張力付与機構２５を備える。
【００２９】
次に、これらの各機構について順次説明する。
ヒンジ機構２２は、図２に示すように、ボディ１２に対しスタッドボルト３１により固定されるブラケット２８と、このブラケット２８の先端部に軸２９を介して連結したベアリング（図示を省略）とを備えている。このベアリングはベースプレート２３の左右両側に一体形成した軸受２７の内部に嵌入され、ベースプレート２３をボディ１２に対して回動可能に支持する。
【００３０】
ブリッジサドル２４は、図２、３に示すように、弦１５を支持するレバーアーム３７と、レバーアーム３７を回動可能に支持するレバーアーム保持部材３５とを備える。レバーアーム保持部材３５は、その先端部に弦１５の張設方向に沿った溝状のスロット３５ａを備えている。図３に示すように、このスロット３５ａから下方に挿通した固定ボルト３６をベースプレート２３に設けたネジ孔２３ａに螺合して締め付ける。そうすると固定ボルト３６の頭部がスロット３５ａの部分を上部から押圧することによりベースプレート２３上面の所定位置にレバーアーム保持部材３５を固定する。なお、この固定ボルト３６を緩めれば、ブリッジサドル２４は、ベースプレート２３に対して摺動可能になり、ブリッジサドル２４を弦１５の張設方向に変位させて、ハーモニック調整を行い、任意の位置で固定できる。
【００３１】
また図３に示すように、レバーアーム保持部材３５には、軸受３５ｂが一体に形成され、この軸受３５ｂには弦１５の張設方向と直交する方向に水平にピン３８が配設される。このピン３８によりレバーアーム３７の前端部に設けられた弦受け部３７ｂが連結され、レバーアーム３７の後方側が上下方向に回動可能に支持されている。このレバーアーム３７の上面には、平面視矩形の開口部が開口されており、その中に直方体状のクランプブロック３９が遊嵌されている。クランプブロック３９の下部には、クランプブロック３９が抜け落ちにくいように断面かぎ状の突起が設けられている。このクランプブロック３９は、レバーアーム３７の後方から貫通するようにネジ孔３７ａに螺入された無頭の弦固定用ボルト４０によって締め付け固定される。このクランプブロック３９の前面側の保持部３９ａとレバーアーム３７の開口部の前面側の壁面である挟着面３７ｃの間隙には、エンドリングが切り落とされた弦１５の端部が挿入される。そして、弦固定用ボルト４０により締めつけられて、弦１５の端部が保持部３９ａと挟着面３７ｃとに挟持されて保持される。この実施形態ではクランプブロック３９及び弦固定用ボルト４０により本発明の弦保持手段を構成している。
【００３２】
レバーアーム３７の前端部の上面は、ピン３８を中心とした円筒状の曲面を有したいわゆるサドルとして機能する弦受け部３７ｂが備えられており、中央部が弦１５を保持するように弦１５の張弦方向に凹部が形成されて、弦１５の振動部分の後端部と臨界接触する第２臨界接触点Ｚを形成する。
【００３３】
図２に示すように、レバーアーム３７の後端部は略水平な板状に形成され、ファインチューニングボルト４２の当接部４２ｄや、Ｄチューナー装置５０のチューナーノブ５１の当接部５１ｆと当接する当接部３７ｆとして形成されている。また、その中央部には、弦１５の張設方向に沿った方向に、ファインチューニングボルト４２やＤチューナー装置５０のベースネジ５２を挿入するためのスロット３７ｅが形成されている。
【００３４】
次に、図２，３に基づいてトレモロ操作機構２６について説明する。このトレモロ操作機構２６は、ベースプレート２３の一側部に下向きに貫通されるネジ筒３２と、その下端部に螺合され、ネジ筒３２をベースプレート２３に締付け固定するナット３３とを備えている。ネジ筒３２の内部にはトレモロアーム３０の先端屈曲部が取り外し可能に挿入されるようになっている。そして、アームアップ、アームダウン等のトレモロ操作をする場合は、トレモロアーム３０をネジ筒３２の内部に挿入した状態でトレモロアーム３０を上下方向に傾動する。この傾動によりトレモロ装置２１のベースプレート２３、ブリッジサドル２４及びトレモロブロック４５等が張力付与機構２５の付勢力に抗して軸２９を中心に微量回動するようになっている。
【００３５】
次に、ファインチューニング装置４１について説明する。本実施形態のファインチューニング装置４１は、第６弦のブリッジサドル２４に備えられたＤチューナー装置５０によるものと、それ以外の第１〜第５弦のブリッジサドル２４に備えられたファインチューニングボルト４２によるものとから構成される。
【００３６】
ここで、図４は、ファインチューニング装置４１のファインチューニングボルト４２を説明する図２のＢ−Ｂ部分の矢視断面図である。ここでは、まずファインチューニングボルト４２によるファインチューニングから説明する。
【００３７】
図４に示すように、ベースプレート２３の後端部下面には、円筒状のボス部２３ｂが形成され、ボス部２３ｂの内面はファインチューニングボルト４２の螺合部４２ａを螺合するネジ孔２３ｃが形成されている。スロット３７ｅには操作ネジとしてのファインチューニングボルト４２のロッド部４２ｃが下方に向って挿通され、螺合部４２ａがこのネジ孔２３ｃに螺入される。このときレバーアーム３７は、弦１５の張力によりピン３８を中心として反時計回りに付勢されているため、ファインチューニングボルト４２の上端部に設けた頭部４２ｂ下側の当接部４２ｄにレバーアーム３７後端の当接部３７ｆが係止されている。
【００３８】
なお、弦１５が張られていない場合でも、レバーアーム３７後端の当接部３７ｆが係止されるように、レバーアーム３７とレバーアーム保持部材３５の間には、圧縮コイルスプリングからなるバネ３７ｄが配設され、レバーアーム３７を上方に付勢するように構成されている。そのため、振動によるノイズ発生を効果的に抑え、また弦１５が張っていない場合でも、レバーアーム３７の当接部３７ｆがファインチューニングボルト４２の当接部４２ｄに当接してがたつかないので、弦の装着なども容易になる。
【００３９】
このとき、ファインチューニングボルト４２の頭部４２ｂを手で回すと、ファインチューニングボルト４２の螺合部４２ａのベースプレート２３のネジ孔２３ｃとの螺合量が変化して、ファインチューニングボルト４２が、ベースプレート２３に対して概ね上下に変位する。レバーアーム３７の当接部３７ｆはファインチューニングボルト４２の当接部４２ｄに当接しているため、レバーアーム３７が上下に変位する。具体的には、螺合部４２ａは、右ネジに切ってあるためファインチューニングボルト４２を平面視時計回りに回転させると、ファインチューニングボルト４２は、下方に変位し、レバーアーム３７後端もこれに応じて下方に下がる。その結果、図４において、弦受け部３７ｂがピン３８を中心に時計回りに回転し、弦１５の端部は下方に変位する。この場合、弦１５の第２臨界接触点Ｚの位置は変わらないため、弦１５の張力が高くなり音程が高くチューニングされる。逆に、ファインチューニングボルト４２を平面視反時計回りに回転させれば、音程は低くチューニングされる。
【００４０】
次に、ファインチューニング装置４１のＤチューナー装置５０について詳細に説明する。ここで、図７は、高張力状態（Ｅの音程）にされたＤチューナー装置５０を詳細に説明する図３の拡大断面図である。
【００４１】
図７に示すように、Ｄチューナー装置５０は、ファインチューニングボルト４２に替えて配設される。したがって、ベースプレート２３、レバーアーム保持部材３５、レバーアーム３７の構成は、図４に示すファインチューニングボルト４２が配設された構成と同一であるので、重複した説明は省略する。
【００４２】
ここで、図５は、Ｄチューナー装置５０の構成を示す分解斜視図である。Ｄチューナー装置５０は、概ね円筒形のチューナーノブ５１と、その内部に配置されベースプレート２３のボス部２３ｂに設けられたネジ孔２３ｃに螺入されるベースネジ５２と、ベースネジ５２に螺入されて、Ｄの音程の位置（低張力状態）でファインチューニングを行う調節ネジ５３とから構成されている。
【００４３】
次に、Ｄチューナー装置５０を構成する各部材について説明する。チューナーノブ５１は、図５に示すように、上下が開放した円筒形の筒状部５１ａを備え、その高さは、実施形態では直径の１．５倍程度である。筒状部５１ａの外周には、上下方向に直線状の溝が９０度間隔で４本刻設されて、溝部５１ｂが形成されている。溝部５１ｂは、チューナーノブ５１の回動位置を示すマークになっている。また、チューナーノブ５１の下端面は、レバーアーム３７に当接する当接部５１ｆとして機能する。
【００４４】
図６は、図５に示すチューナーノブ５１のＣ−Ｃ部分での断面を示す斜視図である。図６に示すように、概ね円筒状に形成された筒状部５１ａの概ね下部２分の１は、内径が小さく形成され、その上端面は平坦に形成された段差部５１ｃとして形成されている。段差部５１ｃには、直径方向に対向する位置に、一対の断面半円形状の空間である溝状の係止凹部５１ｄが形成されている。また、これと直交する直径方向の対向する位置には、係止凹部より深い一対の断面矩形状の空間を備えた非係合部であるクリアランス５１ｅが形成されている。このクリアランス５１ｅの円周方向の幅は、係止突起５２ｃの円周方向の幅より僅かだけ大きく、チューナーノブ５１は、係止突起５２ｃが、クリアランス５１ｅ内にある場合は、相対的な回転を規制する。一方、係止突起５２ｃが、クリアランス５１ｅ内にある場合でも、クリアランス５１ｅは上下方向に十分なクリアランスをとっているため、係止突起５２ｃの上下方向の移動を規制しない。
【００４５】
ベースネジ５２は、図５に示すように、前述したチューナーノブ５１の段差部５１ｃの内径よりも細い径の円筒状の筒部５２ａを備える。筒部５２ａの下部は、右ネジ方向に刻設された雄ネジが形成された螺合部５２ｂが形成される。この螺合部５２ｂは、ベースプレート２３のネジ孔２３ｃ（図７）に螺合可能になっている。また、筒部５２ａの内部には、雌ネジが右ネジ方向に刻設されており、調節ネジ５３と螺合可能になっている。筒部５２ａの上端には、直径方向の対向した位置に、上面が筒部５２ａの上端の平面に連続し、断面が半円状の一対の係止突起５２ｃが水平方向に突設される。係止突起５２ｃの断面形状は、概ねチューナーノブ５１の係止凹部により形成される空間の断面形状と概ね同一形状になって係合可能に構成されている。前述のようにクリアランス５１ｅにより形成される空間の半径方向の断面形状は、幅は係止突起５２ｃと略同じであるが、深さは係止突起５２ｃの上下の厚みより大きく形成されている。
【００４６】
調節ネジ５３は、図５に示すようなドライバーなどで回転可能な頭部５３ａと、雄ネジが右ネジ方向に刻設された螺入部５３ｂを有したネジ部材である。頭部５３ａは、螺入部５３ｂより径が大きい概ね円盤状の形状であり、その上端面にはドライバーの先端部と係合するための凹部が形成されている。また、頭部５３ａの下端面には、チューナーノブ５１の段差部５１ｃと当接可能な当接段部５３ｄが形成されている。
【００４７】
螺入部５３ｂは、ベースネジ５２の筒部５２ａ内部に刻設された雌ネジに螺合可能に形成されている。また、螺入部５３ｂの下端近傍には、環状の溝であるＯリング係止溝５３ｃが形成され、Ｏリング５４が環装される。このＯリング５４は、ベースネジ５２の筒部５２ａ内部に刻設された雌ネジに摺接し、ベースネジ５２に螺合した調節ネジ５３の緩みを防止するためのフリクションを与えている。
【００４８】
Ｄチューナー装置５０は、このような部材により構成されるが、次に、Ｄチューナー装置５０の作用について、図７〜図９を参照して説明する。図７の状態は、弦１５が高張力状態、実施形態では、第６弦がＥの音程にチューニングされた状態を示している。
【００４９】
まず、所定の張力で弦を張り終えた状態での最初のファインチューニングの調整（以下「初期設定」という。）について説明する。ここでは、まず第６弦のみの変調について主に説明し、６本の弦１５全体の張力の変化については後に詳述する。弦の張り替えは、ナット１８（図１）のロックを解除し、弦１５を自由な状態とし、弦１５を張り替えた後に糸巻き１７で概ね所定の調弦を行なった後再びナット１８でのロックを行う。初期設定時において高張力状態のＤチューナー装置５０は、図７に示すように、ベースネジ５２の係止突起５２ｃが、チューナーノブ５１の係止凹部５１ｄに嵌合した状態になっている。なお、このときチューナーノブ５１の当接部５１ｆがレバーアーム３７により上方に向けて付勢されているため、チューナーノブ５１の当接部５１ｆとレバーアーム３７の当接部３７ｆとは当接し続ける。また、レバーアーム３７により、チューナーノブ５１が上方に付勢されるため、チューナーノブ５１の係止凹部５１ｄとベースネジ５２の係止突起５２ｃとの嵌合状態も維持されている。
【００５０】
ベースネジ５２の係止突起５２ｃが、チューナーノブ５１の係止凹部５１ｄに嵌合した状態になっているため、チューナーノブ５１の筒状部５１ａを回せば、これに伴って、ベースネジ５２が回転する。したがって、筒状部５１ａを回転させることで、ベースネジ５２の螺合部５２ｂとベースプレート２３のネジ孔２３ｃとの螺合量が変化する。具体的には、チューナーノブ５１を平面視時計回りに回転すれば螺合量は多くなり、ベースネジ５２が下方に変位する。その結果、ベースネジ５２とともに下方に変位するチューナーノブ５１の当接部５１ｆに押圧されてレバーアーム３７が下方に回動する。よって、弦１５の張力は高まり、音程が高音側に変化する。同様に、チューナーノブ５１を平面視反時計回りに回転すれば、音程は低音側に変化する。したがって、チューナーノブ５１をいずれかの方向に回転することでファインチューニングができる。
【００５１】
なお、この高張力状態の状態において、チューナーノブ５１を回転させてファインチューニングした場合にベースネジ５２はチューナーノブ５１と一体になって回転する。このとき、調節ネジ５３は、Ｏリング５４の摩擦力によりベースネジ５２に連れて回転するため、調節ネジ５３とベースネジ５２は相対回転することがない。さらに、この状態で演奏する場合でも、同様にＯリング５４の摩擦力により、調節ネジ５３は、ベースネジ５２に対して相対回転することがない。よって、Ｏリング５４の摩擦力により高張力状態から低張力状態へ音程を変更した場合の音程差が狂うことを防止することができる。
【００５２】
ここで、図８は、Ｄチューナー装置５０の通常の状態（高張力状態）であるＥの音程から、変則チューニングの状態（低張力状態）であるＤの音程に変更する場合の操作について説明する図である。図８の（ａ）に示す状態は、図７に示した高張力状態の状態である。この状態から、チューナーノブ５１を下方に向けて押す。
【００５３】
そうすると（ｂ）に示すように、チューナーノブ５１は、当接部５１ｆによりレバーアーム３７を押し下げ、チューナーノブ５１自体も下方に変位する。このとき、ベースネジ５２は変位しないため、ベースネジ５２の係止突起５２ｃから、ここに嵌合していたチューナーノブ５１の係止凹部５１ｄが、相対的に離間して係合が解かれる。
【００５４】
次に、この状態から、（ｃ）に示すように、チューナーノブ５１を平面視時計回りに回転させる。このとき、チューナーノブ５１は、ベースネジ５２に対して相対的に回転し、ベースネジ５２の係止突起５２ｃ（図５参照）は、係止凹部５１ｄに対面している位置から、段差部５１ｃを通過して、クリアランス５１ｅに対面する位置に移動する（図６参照）。
【００５５】
そして、図８の（ｄ）に示す図は、（ｂ）の位置から９０度回転した位置で、チューナーノブ５１の下方への押圧を解いた状態を示す図である。チューナーノブ５１には、９０度毎に溝部５１ｂが設けられているが、この溝部５１ｂは１本おきに赤と黒にそれぞれ着色されている。そのため、チューナーノブ５１がファインチューニングでいずれの位置にあっても、いずれかの溝部５１ｂを異なる色の溝部５１ｂが来るように回転すれば、極めて容易にちょうど９０度回転させることができる。図８の（ｄ）のチューナーノブ５１の下方への押圧を解く前の状態では、係止突起５２ｃは、クリアランス５１ｅの上方の対面した位置にあるので、押圧を解くと係止突起５２ｃは、クリアランス５１ｅの内部に進入される。このとき、クリアランス５１ｅは、係止突起５２ｃを回転方向には規制するが、上下方向には規制しない位置関係になっている。
【００５６】
図９は、図７の状態から低張力状態（Ｄの音程）に変更されたＤチューナー装置５０を詳細に説明する図である。次に、図９の状態は、図８の（ｄ）に示す状態であり、弦１５が低張力状態、実施形態では、第６弦がＤの音程にチューニングされた状態を示している。このときＤチューナー装置５０は、ベースネジ５２の係止突起５２ｃは、チューナーノブ５１の係止凹部５１ｄとの嵌合が解かれ、クリアランス５１ｅに進入されて上下方向には相互に干渉しない状態になっている。なお、このときチューナーノブ５１の当接部５１ｆがレバーアーム３７の当接部３７ｆにより上方に向けて付勢されているため、チューナーノブ５１が上方に移動しても当接部５１ｆとレバーアーム３７の当接部３７ｆとは当接し続ける。また、レバーアーム３７により、チューナーノブ５１が上方に付勢されるが、ベースネジ５２の係止突起５２ｃは、チューナーノブ５１の係止凹部５１ｄ（図６）と嵌合しないため、チューナーノブ５１は、図７に示す高張力状態よりも上方に移動する。そして、係止突起５２ｃがクリアランス５１ｅの底部に当接する前に、チューナーノブ５１の段差部５１ｃが、調節ネジ５３の頭部５３ａの下端面である当接段部５３ｄに当接し、チューナーノブ５１の上方への移動が規制される。したがって、チューナーノブ５１の上下方向の位置は、調節ネジ５３の当接段部５３ｄにより決定される。
【００５７】
この低張力状態である音程Ｄの変則チューニングのとき、ファインチューニングは、調節ネジ５３を用いて行う。以下に低張力状態でのファインチューニングの方法を詳説する。まず、チューナーノブ５１を手で回転しないようにつまみ、ドライバーなどにより調節ネジ５３の頭部５３ａを回転させる。この場合、音程を高くしたい場合は、平面視時計回りに回転させる。そうすると、ベースネジ５２の内部に螺入されている調節ネジ５３の螺入部５３ｂのベースネジ５２との螺合量が大きくなり内部にさらに進入する。このとき、ベースネジ５２は、ベースプレート２３のネジ孔２３ｃに固定されており、一方、チューナーノブ５１は、ベースネジ５２に対して上下方向に移動可能となっている。そのため、下方に移動する調節ネジ５３の当接段部５３ｄは、チューナーノブ５１の段差部５１ｃを押し下げる。よって、レバーアーム３７が押し下げられて、弦１５の張力が増し、音程が高くなる。逆に、音程を低くしたい場合は、チューナーノブ５１を手で固定して頭部５３ａを平面視反時計回りに回転させる。
【００５８】
なお、チューナーノブ５１を手で固定しないで調節ネジ５３を回転させた場合は、調節ネジ５３がＯリング５４の摩擦力によりベースネジ５２に対して相対回転しないようになっているため、ベースネジ５２が調節ネジ５３の回転に伴って回転する。そのため、ベースネジ５２の回転によりファインチューニングができることになるが、高張力状態に戻した場合に、チューニングがずれてしまう。したがって、調節ネジ５３を回転させる場合は、必ずチューナーノブ５１を手で固定してベースネジ５２の回転を規制しなければならない。
【００５９】
なお、この低張力状態の状態において演奏する場合でも、Ｏリング５４の摩擦力により、演奏中に調節ネジ５３がベースネジ５２に対して相対回転することがない。
弦１５を新たに張り替えた場合の初期設定は、以上のような手順で高張力状態と低張力状態のチューニングをそれぞれ正確に行うことができる。この初期設定を行った後に、時間の経過とともに、特に演奏等により弦が伸びてチューニングが狂うことがある。以下に、このような場合のファインチューニング調整（以下「演奏時調整」という。）について説明する。
【００６０】
まず、弦１５が高張力状態に調整されている状態から演奏時調整をする場合ついては、高張力状態（実施形態では第６弦がＥの音程にチューニングされた状態）では、チューナーノブ５１を回転することでファインチューニングを行う。この場合は、初期設定の場合の調整方法と同一である。演奏によって伸びた弦により低下した張力を高めるため、チューナーノブ５１をつまんで平面視時計回転に回転させる。なお、６本の弦１５全体が伸びた場合の調整については後述する。
【００６１】
次に、高張力状態の弦１５を上述のように低張力状態に変更する。この手順も、初期設定のときと同様の手順である。このとき、初期設定において低張力状態でのファインチューニングが調整済みの場合、調整する必要はない。これは、既に高張力状態と低張力状態でのチューナーノブ５１の当接部５１ｆの高さの差が調整されているため、多少の弦１５の伸びによる張力の差があっても、実質的に問題のないレベルで高張力状態と低張力状態での音程差が維持されるからである。
【００６２】
逆に、低張力状態から演奏時調整を行う場合は、チューナーノブ５１をそのままつまんで平面視時計回転に回転させる。この方法は、初期設定の場合に先に調整した高張力状態でのファインチューニング調整を狂わせないように、チューナーノブ５１を手で回転しないようにつまみ、ドライバーなどにより調節ネジ５３の頭部５３ａを回転させていたのとは方法が異なる。すなわち、演奏時調整では、チューナーノブ５１と、ここを回転させることで連れて回転する調節ネジ５３が同量だけ変位するが、既に初期設定で高張力状態と低張力状態でのチューナーノブ５１の当接部５１ｆの高さの差が調整されている。そのため、その差を維持しつつチューナーノブ５１と調節ネジ５３が回転することにより、低張力状態でのファインチューニングの調整分だけ同時に高張力状態でのファインチューニングの調整ができることになる。
【００６３】
つまり、演奏時調整は、高張力状態での調整も、低張力状態での調整も、状態にかかわらず、何らの道具なしでチューナーノブ５１を手でつまみ回転させるだけでよい。したがって、演奏途中であっても簡単に調整することができる。
【００６４】
次に、張力付与機構２５について説明する。ここで、図１０は、ボディ１２の下面に配置された平衡状態時における裏機構６１を示す底面図である。以下、図３及び図１０に沿って張力付与機構２５を構成する裏機構６１を説明する。図３に示すように、トレモロ装置２１は、上面に弦１５を保持するブリッジサドル２４、下面にトレモロブロック４５が装着されたベースプレート２３とを備えている。また、このベースプレート２３に着脱自在に取り付けられてベースプレート２３の揺動を操作するためのトレモロアーム３０を備えたトレモロ操作機構２６と、ベースプレート２３の揺動後にベースプレートを平衡状態位置（釣り合い状態となる中立位置）に復元（復帰）させる張力付与機構２５を構成する裏機構６１とを備えている。なお、図示の例では、裏機構６１は、ボディ１２の裏面側に形成された凹部内に配設されている。
【００６５】
実施形態では、ベースプレート２３上に各弦１５に対応してそれぞれ独立した複数（図にて６個を例示）のブリッジサドル２４が配置され、各弦１５毎のハーモニック調整が可能に構成されている。なお、図３においてはトレモロ演奏を行っていない平衡状態時におけるトレモロ装置２１及びその周辺を示している。ベースプレート２３は、図２に示すようにその前部（ネック１３側）の両脇に形成されたヒンジ機構２２でスタッドボルト３１，３１によって、揺動可能に固定されている。
【００６６】
次に、図３、図１０に沿ってベースプレート２３の裏側（下方）の部分の構造について説明する。図３に示すように、本実施形態の張力付与機構２５では、ベースプレート２３の下方のトレモロブロック４５の引掛部６０を裏機構６１が付勢する。裏機構６１は、裏機構ベース６２、係合部６４、調節部材６６、第一スプリング６９、第二スプリング７２及び棒状部材７５の各部を含む。
【００６７】
引掛部６０は、トレモロブロック４５の下部近傍の後部に形成され、トレモロブロック４５の後方への揺動時に棒状部材７５と当接する部分である。裏機構ベース６２は、裏機構６１のボディ１２への取付部になる部分であり、ボディ１２の裏側の凹部にネジ等適宜の取付部材によって固定されている。
【００６８】
係合部６４は、裏機構ベース６２の後部の左右両側に形成され、後方への開放部を有する。実施形態では、裏機構ベース６２の左右両側に一体に立設された立ち片６５，６５に略Ｖ字状の切欠によって係合部６４、６４としたが、この係合部６４は棒状部材７５が離隔自在に係合する部分であるからそのような作用を有すればどのような構造又は形状でもよい。
【００６９】
調節部材６６は、裏機構ベース６２の前部に前後位置が調節可能に配設された部材であって、この例では、裏機構ベース６２前端が屈曲されて立設されたブラケット部６７に回動可能に取り付けられた調節ネジ６８に螺合して、調節ネジ６８の回動によって前後方向に変位する。
【００７０】
第一スプリング６９は、調節部材６６に前端７０が固定され後端７１がトレモロブロック４５下部に固定され、トレモロブロック４５を常時前方に付勢するものである。実施形態では、調節部材６６の左右に２つの第一スプリング６９，６９が配置されている。
【００７１】
第二スプリング７２はその前端７３が裏機構ベース６２に固定されている。第二スプリング７２の前端７３は、裏機構ベース６２に突設された係着部６３に係着される。この実施形態では、第二スプリング７２は第一スプリング６９の外側に２つ設けられている。
【００７２】
棒状部材７５は、トレモロブロック４５の後方に配置され、第二スプリング７２の後端７４が固定されて常時前方に付勢されている。そして、この棒状部材７５は、トレモロブロック４５の非揺動時及び前方への揺動時には、係合部６４に係着されているとともに、トレモロブロック４５の後方への揺動時にはトレモロブロック４５の引掛部６０と当接して後部が開放した係合部６４の係止位置より離脱して後方へ移動される。実施形態では係合部６４のＶ字溝から下側斜面を摺動して後方へ移動する。
【００７３】
上述したところからわかるように、調節部材６６の位置調節、この例では調節ネジ６８の回動によって、第一スプリング６９，６９の付勢力を調節することができ、これによって使用する種々の弦ゲージにおける弦１５の張力に合わせることができる。また、ベースプレート２３のスタッドボルト３１，３１に対する傾きにも調整することができる。
【００７４】
ここで、第一スプリング６９，６９は、トレモロ装置２１が平衡状態となる通常時に、自然長よりも伸びた状態で調節部材６６とトレモロブロック４５間に張設され、トレモロブロック４５を前方に付勢するようになっている。一方、第二スプリング７２，７２は、トレモロ装置２１が平衡状態となる通常時に、自然長よりも伸びた状態で裏機構ベース６２の係着部６３，６３と棒状部材７５間に張設され、棒状部材７５を前方に付勢し、係合部６４，６４に係合するようになっている。この状態がトレモロ装置２１（ベースプレート２３）の設定角度（トレモロ演奏しないときの角度）となる。
【００７５】
このような構造のトレモロ装置２１にあっては、ボディ１２表面側の弦１５に張力が発生していない状態では、トレモロブロック４５は第一スプリング６９，６９の付勢力によって前方限に移動している。そして、調弦する際に、弦１５に張力を加えるにつれてトレモロブロック４５は後方に移動し、その引掛部６０が棒状部材７５に当接し、その位置で平行状態に保持される。このとき、第一スプリング６９，６９のばね設定が弱いときには、弦１５の張力により引掛部６０は棒状部材７５と当接し、さらに係合部６４，６４より離脱させて後方に移動する。一方、第一スプリング６９，６９のばね設定が強いときには、弦１５の張力を受けても引掛部６０が棒状部材７５と当接する前に弦１５と第一スプリング６９，６９の張力はバランスしてしまう。このバランス状態はいわば浮いた状態で、非常に不安定となる。
【００７６】
したがって、第一スプリング６９，６９のばね設定は、弦１５の張力よりは少し弱く、かつ第二スプリング７２，７２のばね設定を、トレモロブロック４５の引掛部６０が棒状部材７５と当接するが係合部６４，６４より離脱させない程度に調整することが望ましく薦められる。ただし、演奏者の好みにより浮いた状態を望む場合にはこの限りでない。なお、裏機構ベース６２から第二スプリング７２，７２及び棒状部材７５は、簡単に取り外すことができるため、これらを取り外せば従来のトレモロ装置のような使用も可能である。
【００７７】
なお、トレモロブロック４５の引掛部６０や、係合部６４，６４がゴム等からなる緩衝部材によって形成されている。これによって、棒状部材７５が引掛部６０や係合部６４，６４に当接する際の衝撃を緩衝部材により吸収し、当接音等の異音（ノイズ）の発生を防ぐことができる。
【００７８】
次に張力付与機構２５の作動について説明する。図２に示すトレモロアーム３０をアームダウン、つまりボディ１２方向に押し下げると、ベースプレート２３は、ヒンジ機構２２を支点としてその後部が上方へ傾斜するように揺動する。これによって、弦１５の張力が減少して、全て弦の音程が下降（フラット）する。このとき、図３に示すベースプレート２３の裏側に垂設されたトレモロブロック４５がボディ１２内の空間を後方へ回動し、それに伴って調節部材６６とトレモロブロック４５との間に架設された第一スプリング６９，６９は引張される。同時にトレモロブロック４５は、引掛部６０を棒状部材７５に当接させながら棒状部材７５を係合部６４，６４の開放部から後方へ押圧し離間するため、第二スプリング７２，７２を引張する。
【００７９】
アームダウン後、トレモロアーム３０に対する力が除かれると、第一スプリング６９，６９及び第二スプリング７２，７２の付勢力によって、トレモロブロック４５は、ヒンジ機構２２（図２）を支点としてボディ１２内の空間を前方へ回動して当初の平衡状態の位置に復元（復帰）し、棒状部材７５も前方へ移動して係合部６４，６４に係止される。
【００８０】
これに対して、トレモロアーム３０をアームアップ、つまりボディ１２の反対方向に引き上げると、ベースプレート２３は、ヒンジ機構２２（図２）を支点としてその後部が下方へ傾斜するように揺動する。これによって、弦１５の張力が増加して、全ての弦の音程が上昇（シャープ）する。このとき、ベースプレート２３の裏側に垂設されたトレモロブロック４５が前方へ回動し、それに伴って調節部材６６とトレモロブロック４５との間に架設された第一スプリング６９，６９は収縮する。なお、このときは裏機構ベース６２と棒状部材７５との間に架設された第二スプリング７２，７２の付勢力により係合部６４，６４に係止された棒状部材７５はそのままの状態を保持している。
【００８１】
アームアップ後、トレモロアーム３０に対する力が除かれると、各弦１５の張力によって、トレモロブロック４５はヒンジ機構２２（図２）を支点としてボディ１２内の空間を後方へ回動し当初の平衡状態の位置に復元（復帰）する。
【００８２】
次に、このような構造のトレモロ装置２１において、本実施形態のＤチューナー装置５０により、チューニングを変更した場合の作用を説明する。前述のようにＤチューナー装置５０により第６弦を通常のチューニングであるＥの音程にした場合（高張力状態）において、平衡状態となるように調節ネジ６８により調節する。この状態であれば、無操作の場合は平衡状態が保たれるとともに上述のようにアームアップ、アームダウンによって演奏することもできる。
【００８３】
続いて、Ｄチューナー装置５０により、上述のように第６弦を変則チューニングであるＤの音程にした場合（低張力状態）においては、６弦の張力の合計が小さくなる。この場合でも、第一スプリング６９，６９の張力の合計より大きく、かつ第一スプリング６９，６９の張力と、第二スプリング７２，７２の張力との合計より小さい範囲に入る場合は、平衡状態となる。つまり、棒状部材７５は係合部６４，６４に当接し、かつ、トレモロブロック４５の引掛部６０が棒状部材７５に当接した状態で変化しないため、Ｄチューナー装置５０を高張力状態から低張力状態に変化させても、他の弦の音程が狂うことがない。
【００８４】
上記実施形態の弦楽器用ブリッジによれば、以下のような効果を得ることができる。
（１）  上記実施形態では、変調手段であるＤチューナー装置５０により、演奏中でも片手の指先で軽い力で瞬時に通常のチューニングから変則チューニングに変更することができる。また、変則チューニングから通常チューニングにも同様に瞬時に変更できるという効果がある。
【００８５】
（２）  また、この場合、従来の特許文献１に示すようなトレモロ装置を備えた弦楽器のための張力変更装置のように、ブリッジ後方に部材が突出することもなく、従来のギターのブリッジを本発明のブリッジに取り替えるだけで適用でき、ボディ１２の形状の変更をする必要もない。そのため、広い汎用性を有するという効果がある。
【００８６】
（３）  また、初期設定として、通常チューニング（高張力状態）と変則チューニング（低張力状態）において、それぞれ個別に音程をＤチューナー装置５０を用いて、精密に音程を微調節することができるという効果がある。この場合、通常チューニングはチューナーノブ５１によりファインチューニングを完了する。通常チューニングにおけるファインチューニングが完了したら、Ｄチューナー装置５０により変則チューニングに切替える。この変則チューニングにおいて、チューナーノブ５１が回転しないように押えながら調節ネジ５３により音程を調節すれば通常チューニングでのファインチューニングを狂わせることなく変則チューニングでのファインチューニングを完了することができるという効果がある。つまり、微調節がそれぞれに独立してできるという効果がある。
【００８７】
（４）この微調節した結果はそのままチューニングを変更した場合でも保存され、再び変更した場合でも正確な音程が再現されてチューニングが変更される再現性を備えるという効果がある。
【００８８】
（５）また、初期設定完了後、通常チューニングと変則チューニングの音程差、つまり調節ネジ５３とベースネジ５２との位置関係がＯリング５４の効果で保存される。そのため、演奏時調整においては、通常チューニングと変則チューニングのいずれにおいても、チューナーノブ５１をそのまま回転させてファインチューニングができる。たとえば、演奏等により弦１５が伸張したような場合には、通常チューニングと変則チューニングとのいずれの時に拘わらず、いつでもチューナーノブ５１を回転させるだけで通常チューニングと変則チューニングとにおける両方のファインチューニングを同時に完了することができるという効果がある。
【００８９】
（６）  この場合、調節ネジ５３の螺入部５３ｂにはＯリング５４が環装されてベースネジ５２との相対回動を防止しているため、演奏中でも、ファインチューニングが狂うこともないという効果がある。なお、ファインチューニングボルト４２の螺合部４２ａやベースネジ５２の螺合部５２ｂには、ハードなグリスが塗布されて不用意な回動を防止するフリクションが与えられている。なお、ベースネジ５２と調節ネジ５３との間のフリクションはＯリング５４によるものに限るものではなく、スプリング等による付勢手段などその方法は問わない。
【００９０】
（７）  また、チューナーノブ５１には、２色に塗り分けられた溝部５１ｂがあり、チューニングの変更の場所や、状態が一目でわかるように表示されるという効果がある。特に、溝部５１ｂを１列ずらすだけで、チューニングを変更するのに必要な９０度の回転角度を正確に操作ができるという効果がある。もちろん、チューニングの変更は９０度の回転角度に限られるものではない。
【００９１】
（８）  また、本実施形態では、ファインチューニングボルト４２の螺合部４２ａと、Ｄチューナー装置５０のベースネジ５２の螺合部５２ｂは、同一のピッチのネジであり、ファインチューニングボルト４２をＤチューナー装置５０と取り替えるだけで、任意の弦の変則チューニングが容易に実現できるという効果がある。
【００９２】
（９）  もちろん、低張力状態を通常チューニングとし、高張力状態を変則チューニングとすることもできる。また、全音に限らず、半音、若しくは全音半以上の音程差で変則チューニングをしてもよい。
【００９３】
（１０）  一方、張力付与機構２５に備えられた裏機構６１は、高張力状態と低張力状態で弦１５全体の張力が変化した場合でも、所定の範囲内であれば、平衡状態を維持するため、音程が狂うことがないという効果がある。そのため、Ｄチューナー装置５０で変則チューニングをしても、その都度張力付与機構２５の調整をする必要がないという効果がある。なお、所定の範囲内とは、６本の弦１５の合計の張力が、第一スプリング６９，６９の合計より大きく、第一スプリング６９，６９と第二スプリング７２，７２の合計より小さい範囲をいう。この範囲であれば、複数の弦のチューニングを変えても平衡状態を維持できる。本実施形態のような１本の弦の変調であれば、なんら変調に伴う調整は不要となる。
【００９４】
なお、上記実施形態は以下のように変更してもよい。
○  本実施形態では、張力付与機構２５に付勢力維持手段の一例として裏機構６１を設けているが、これに限定されず、たとえば、弦の張力より強いスプリングを用いたトレモロ装置などの他の方法で付勢力を維持してもよいことはもちろんである。
【００９５】
○  さらに、本実施形態では張力付与機構２５に付勢力維持手段としての裏機構６１を設けているが、この裏機構６１から第二スプリング７２，７２と棒状部材７５を除去したような状態で、付勢力調整手段である調節ネジ６８を手動で調整してもよい。この場合は、チューニングを変更するたびに調整する必要が生じるが、トレモロ装置２１自体の操作感は自然になる。もちろん、張力付与機構自体の構成も極めて簡略化できる。
【００９６】
○  本実施形態では、トレモロ装置を前提に説明しているが、変則チューニング自体はトレモロ装置のないギターなどでも行われるため、トレモロ装置のないギターなどに適用できることは言うまでもない。以下、実施形態で詳細に説明する。
【００９７】
（第２実施形態）ここで、本発明の他の実施形態について説明する。第２実施形態は、第１実施形態と比較して、トレモロ装置を備えないことを特徴としている。以下、第１実施形態と同様の構成の部分については同符号を付して説明を省略し、異なる部分を中心に説明する。
【００９８】
ここで、図１１は、第２実施形態の電気ギター２１１のブリッジセット２２０近傍の部分斜視図である。以下、図の左手前を前（ヘッド方向）、図の上方向を上として説明する。本実施形態では、ブリッジセット２２０が本発明のブリッジに相当する。すなわち、本発明のブリッジは一体に構成されても、分離されて構成されてもよい。ブリッジセット２２０は、第２臨界接触点Ｚを構成するサドル２２９を備えたブリッジピース２２１と、ファインチューニング装置２２３と弦保持部２２４とを備えたテールピース２２２とから構成されている。第２臨界接触点が本発明の臨界接触点に相当し、ファインチューニング装置２２３がファインチューニング手段に相当し、弦保持部２２４が本発明の弦保持手段に相当する。ブリッジピース２２１の前部（ヘッド側）には、ピックアップ１９が配置される。
【００９９】
ブリッジピース２２１は、ボディ２１２に螺入されたアンカーボルト２２５、２２５によって支持される。アンカーボルト２２５は、全体にネジ溝が設けられており、その下部のネジ溝はボディ２１２に螺合し、アンカーボルト２２５をボディ２１２に固定している。また、その中間部のネジ溝には、環状の高さ調整板２２７が螺合しており、その回動により高さ調整板２２７は上下方向に変位する。ブリッジピース２２１は、長手方向が弦１５の張設方向と直交する方向（幅方向）に配置された部材で、両側にアンカーボルト２２５を貫通させる孔２２６が設けられている。この孔２２６にアンカーボルト２２５が貫通されて支持されるとともに、高さ調整板２２７によりブリッジピース２２１の高さが調整される。ブリッジピース２２１には、６本の弦１５に対応する位置に、それぞれ上方に開放した正面視Ｔ字形の断面形状の空間である開口部２２８が６つ設けられる。これらの開口部２２８には、正面視Ｔ字形状のサドル２２９が配置される。このサドル２２９の上部は屋根型になっており、その稜線は幅方向に設けられている。そのため、張設された弦１５と点接触して第２臨界接触点Ｚを形成する。
【０１００】
このサドル２２９は、下部が案内軸２３０により変位が前後方向に規制されている。また、ハーモニック調整ネジ２３１がブリッジピース２２１の後方から貫通するように螺入されており、その前端がサドル２２９に回動可能に連結されている。そのため、ハーモニック調整ネジ２３１を回動させることでサドル２２９を任意の前後位置に調整できる。したがって、このハーモニック調整ネジ２３１を回動することでハーモニック調整が可能となっている。
【０１０１】
テールピース２２２は、長手方向が幅方向に配置された板状の部材であるベースプレート２３２を備え、両側にアンカーボルト２３３を貫通させる孔（不図示）が設けられている。この孔にアンカーボルト２３３を貫通されてボディ２１２に固定される。このベースプレート２３２は、本発明のレバーアーム保持部材として機能しており、各弦１５に対応した位置にそれぞれ幅方向に配置されたピン２３４を備える。このピン２３４にレバーアーム２３５の前端部が連結されて、上下方向に回動可能に弦１５の調節方向に沿って配置される。レバーアーム２３５の後端部は板状に形成され、スリット２３５ａが設けられる。第１弦〜第５弦においては、このスリット２３５ａに第１実施形態と同様のファインチューニングボルト４２が挿入されてその下端の螺合部（不図示）がベースプレート２３２に螺合され上下に変位可能になっている。また、スリット２３５ａの上部周端部の当接部２３５ｂとファインチューニングボルト４２の頭部４２ｂの下端の当接部４２ｄが当接している。このファインチューニングボルト４２が第１実施形態と同様、本発明の操作ネジに相当する。
【０１０２】
レバーアーム２３５の前部には、ピン２３４を中心に円筒状に形成された弦受け部２３７が設けられる。弦保持部２２４は、弦１５のエンドリング１５ａを掛止する凹部が形成されており、弦１５は、この弦保持部２２４の凹部にエンドリング１５ａが掛止され、弦後端部は弦受け部２３７に当接した状態となる。その前側の弦１５は、サドル２２９で接触し、第２臨界接触点Ｚを形成している。
【０１０３】
このようにレバーアーム２３５は、張設される弦１５の張力により弦保持部２２４がピン２３４を中心に上側に回動するように付勢され、当接部２３５ｂの上端が、ファインチューニングボルト４２の当接部４２ｄを付勢する。そのため、ファインチューニングボルト４２を回動させてベースプレート２３２との螺合量を変えることで当接部２３５ｂの高さを変位させ、よってレバーアーム２３５の回動量を変化させて音程を変化させる。
【０１０４】
また、弦１５の第６弦に対応するレバーアーム２３５は、ファインチューニングボルト４２に替えて、Ｄチューナー装置５０が配置される。Ｄチューナー装置５０も第１実施形態に示した構成と同一であり、本発明の変調手段を備えた操作ネジに相当する。
【０１０５】
第２実施形態の電気ギター２１１では、以下のような効果がある。第１実施形態のトレモロ装置に由来する効果を除き、Ｄチューナー装置５０による効果を奏する。これに加え、第２実施形態では、本発明を構成するブリッジであるブリッジセット２２０が、第２臨界接触点Ｚを備えたブリッジピース２２１と、ファインチューニング装置を備えたテールピース２２２とに分離した構成となっている。そのため、従来のテールピースが分離したタイプの電気ギターのテールピースを交換するだけで本発明の変調手段を実施できるという効果がある。特に、トレモロ装置を備えないアコースティックギターにおいても適用できる。
【０１０６】
また、ハーモニック調整は、第２臨界接触点Ｚを備えたサドル２２９の移動が、ハーモニック調整ネジ２３１をドライバーなどで回動することで調整でき、ファインチューニング装置２２３などを移動させないでできるため、調整が狂いにくいという効果がある。
【０１０７】
なお、本実施形態は以下のようにも実施できる。
○  第２実施形態の電気ギター２１１では、テールピース２２２にトレモロ装置を備えていないが、テールピースにトレモロ装置を備えたセミアコースティックギターのようなタイプにおいても実施できる。
【０１０８】
○  ファインチューニング装置４１，２２３は、本実施形態で説明したような構造に限定されるものではなく、従来技術で説明したような構造のものにも適用できる。例えば、従来技術で示したトレモロ機構では、ベースプレート１２３が上方に屈曲し、フランジプレート１２３ａの上方からファインチューニング調整ネジ１４２が螺入されている。このような場合であれば、シフト部材１９１に変えて、ファインチューニング調整ネジ１４２の先端に下方に向けて本発明の上下方向に移動する当接部を設ける。そうすることで軸部１９０の高さを変位させチューニングを変更することができる。
【０１０９】
○  変調手段は、１弦のみに限らず、複数の弦１５に対して変調手段を設けるようにしてもよい。さらに、ファインチューニング装置は、すべての弦に設ける必要はなく、変則チューニングをしたい特定の弦のみに変調手段を設けたファインチューニング手段を設け、他の弦に関してはファインチューニング手段自体を備えない態様であってもよい。
【０１１０】
○  本実施形態では、６弦の電気ギターを例に説明したが、本発明を適用する弦楽器は７弦ギター、４弦ベースなどの電気ギターはもちろん、アコースティックギター、ハープ類などその種類は問わず、弦の数も限定されない。
【０１１１】
○  また、本実施形態では、第６弦１本のみの変則チューニングを例に説明したが、複数の弦の張力を連動させて同時に変更するようなものであってもよい。
○  Ｄチューナー装置５０では、チューナーノブ５１を押し下げて９０度回して戻すことで変調を行うが、高張力状態と低張力状態に当接部を移動させ固定させる方法は実施形態に限定されないのは言うまでもない。例えば、ノック式ボールペンのように押し下げる力を利用して、チューナーノブ５１を自動的に回転させるようなものでもよい。あるいは、操作ネジを二重の筒にして、所定位置にキー孔を開けて、ここにピンをキーとして差し込み高さを調節してもよい。また、微調節とは別に粗動用のネジを設けて、ラッチにより所定の変調位置に止めるようなものでもよい。或いは、外筒にＬ字状に切り込みを設けて、突起を設けた内筒を固定するようなものなど、螺合部に対して当接部の位置が移動でき所定の位置で固定できるものであれば特にその方法は限定されないものである。
【０１１２】
○  なお、高張力状態微調節手段と低張力状態微調節手段は、必ずしも必須要件ではなく、省略することも可能である。
○  その他、特許請求の範囲を逸脱しない限り、当業者により改良され、付加され、省略されて本発明を実施できることは言うまでもない。
【図面の簡単な説明】
【０１１３】
【図１】第１実施形態の電気ギター１１全体を左後方側上面から見た斜視図。
【図２】図１に示す電気ギター１１のトレモロ装置２１近傍の部分斜視図。
【図３】図２のＡ−Ａ部分の矢視断面図。
【図４】ファインチューニング装置４１のファインチューニングボルト４２を説明する図２のＢ−Ｂ部分の矢視断面図。
【図５】Ｄチューナー装置５０の構成を示す分解斜視図。
【図６】図５に示すチューナーノブ５１のＣ−Ｃ部分での断面を示す斜視図。
【図７】高張力状態（Ｅの音程）にされたＤチューナー装置５０を詳細に説明する図３の拡大断面図。
【図８】Ｄチューナー装置５０の通常の状態（高張力状態）であるＥの音程から、変則チューニングの状態（低張力状態）であるＤの音程に変更する場合の操作について説明する図。
【図９】図７の状態から低張力状態（Ｄの音程）に変更されたＤチューナー装置５０を詳細に説明する図。
【図１０】ボディ１２の下面に配置された平衡状態時における裏機構６１を示す底面図。
【図１１】第２実施形態の電気ギター２１１のブリッジセット２２０近傍の部分斜視図。
【図１２】従来技術の弦楽器のための張力変更装置において通常のチューニング状態を示す図。
【図１３】従来技術の弦楽器のための張力変更装置において図１２に示す状態から、第６弦を全音落としたＤにチューニングする状態を示す図。
【符号の説明】
【０１１４】
Ｚ…臨界接触点としての第２臨界接触点、１１，２１１…電気ギター、１２，２１２…ボディ、１５…弦、２１…トレモロ装置、２３…ベースプレート、２３２…レバーアーム保持部材としてのベースプレート、２５…張力付与機構、２９…軸、３５…レバーアーム保持部材、３７，２３５…レバーアーム、４１，２２３…ファインチューニング装置、４２…ファインチューニングボルト、４２ａ…螺合部、４２ｂ…頭部、４２ｄ…当接部、４５…トレモロブロック、５０…Ｄチューナー装置、５１…チューナーノブ、５１ａ…筒状部、５１ｃ…段差部、５１ｄ…係止凹部、５１ｆ…当接部、５２…ベースネジ、５２ｂ…螺合部、５２ｃ…係止突起、５３…調節ネジ、５３ａ…頭部、５３ｂ…螺入部、５３ｄ…当接段部、６０…引掛部、６１…裏機構、６２…裏機構ベース、６４…係合部、６５…立ち片、６６…調節部材、６８…調節ネジ、６９…第一スプリング、７０…（第一スプリングの）前端、７１…（第一スプリングの）後端、７２…第二スプリング、７３…（第二スプリングの）前端、７４…（第二スプリングの）後端、７５…棒状部材。
【図１】
2005208419.tif 000003
【図２】
2005208419.tif 000004
【図３】
2005208419.tif 000005
【図４】
2005208419.tif 000006
【図５】
2005208419.tif 000007
【図６】
2005208419.tif 000008
【図７】
2005208419.tif 000009
【図８】
2005208419.tif 000010
【図９】
2005208419.tif 000011
【図１０】
2005208419.tif 000012
【図１１】
2005208419.tif 000013
【図１２】
2005208419.tif 000014
【図１３】
2005208419.tif 000015